(57)【要約】      （修正有）【課題】接続部品の数の削減と部品コストが節約でき、またその接続部品が引き起こす障害を回避することができ、かつハードディスクの増設や交換の手間が軽減できるコンピュータ本体ケースを提供する。【解決手段】コンピュータ本体からの各種ケーブルを直接接続する直結コネクタを有するハードディスクデバイスの両側面にレールを螺着し、前記レールを受ける突起を備えた嵌合部をコンピュータ本体の内部にビルトインして、直結コネクタを前面にしてハードディスクデバイスをコンピュータ本体に格納し、直結コネクタにコンピュータ本体の前面から各種ケーブルを直接接続するようにした。【選択図】図５
2010152613.tif 000002
【特許請求の範囲】
【請求項１】
ハードディスクデバイスをコンピュータ本体に格納するにあたり、コンピュータ本体からの各種ケーブルを直接接続する直結コネクタを有するハードディスクデバイスの両側面にレールを螺着し、前記レールを受ける突起を備えた嵌合部を前記コンピュータ本体の内部にビルトインしたことを特徴とするコンピュータ本体ケース。
【請求項２】
前記直結コネクタを前面にして前記ハードディスクデバイスを前記コンピュータ本体に格納するようにしたことを特徴とする請求項１記載のコンピュータ本体ケース。
【請求項３】
前記直結コネクタに前記コンピュータ本体の前面から各種ケーブルを直接接続するようにしたことを特徴とする請求項１又は２記載のコンピュータ本体ケース。
【発明の詳細な説明】
【技術分野】
【０００１】
本発明は、コンピュータ内部に設置されるハードディスクデバイスをコンピュータ本体に格納するコンピュータ本体ケースに関する。
【背景技術】
【０００２】
近年、コンピュータ内部に設置されるハードディスクデバイスを格納するコンピュータ本体は、高性能化とともに小型化の要請が著しく高くなっている。すなわち、コンピュータ本体の小型化は、複数台のコンピュータを並べて設置した場合の省スペース化に寄与し、機種を選択する場合の重要な要素となっている。
【０００３】
一方、コンピュータ本体を小型化すると、コンピュータ本体に格納されるハードディスクデバイスの放熱対策が重要となってくる。すなわち、小型化により、コンピュータ本体の筐体内における空気の流れを阻害する要因が増えるので、特に、動作の信頼性を第一とするコンピュータ本体では、筐体内の放熱を保証できない構造で小型化することはできない。
【０００４】
また、コンピュータにとっては、周辺機器の装着性及び拡張性も機種を選択する場合の重要な要素である。特に、ハードディスクの増設や交換は、コンピュータ本体の側面の扉を開けて配線接続を行わなければならないため、増設や交換の手間が大変であるという問題があった。その問題を解決するために、特許文献１に開示されるようなハードディスク装置が提案されている。
【０００５】
【特許文献１】特開平１１−１４９７５８号公報
【発明の開示】
【発明が解決しようとする課題】
【０００６】
しかしながら、特許文献１に開示されたハードディスク装置は、ハードディスクを収納し接続用のコネクタを持つハードディスクボックスとコンピュータ本体の増設空間に配設固定するトレイを備え、トレイにハードディスクボックスを装着／離脱自在とすることにより、コンピュータ本体の前面からハードディスクの増設や交換を行なうことができるものの、図７のコンピュータ本体への接続を示した概略図のように、ハードディスクボックス７２１とトレイ７２４は接続コネクタ７２２と接続ソケット７２３を介して接続され、接続ソケット７２３の各ピンはトレイ７２４の信号接続コネクタ７２５及び電源接続コネクタ７２６に接続され、更に、信号ケーブル７２７、電源ケーブル７２８を介してコンピュータ本体のメイン基板及び電源装置へ接続されているため、接続部品の数が多くなり、その接続部品が引き起こす障害頻度も多くなるという問題があった。
【０００７】
本発明は上記の点に鑑みなされたものであり、コンピュータ本体からの各種ケーブルを直接接続する直結コネクタを有するハードディスクデバイスの両側面にレールを螺着し、そのレールを受ける突起を備えた嵌合部をコンピュータ本体の内部にビルトインすることにより、接続部品の数の削減と部品コストが節約でき、またその接続部品が引き起こす障害を回避することができ、かつハードディスクの増設や交換の手間が軽減できるコンピュータ本体ケースを提供することを目的とする。
【課題を解決するための手段】
【０００８】
上記目的を達成するため、請求項１のコンピュータ本体ケースは、ハードディスクデバイスをコンピュータ本体に格納するにあたり、コンピュータ本体からの各種ケーブルを直接接続する直結コネクタを有するハードディスクデバイスの両側面にレールを螺着し、レールを受ける突起を備えた嵌合部をコンピュータ本体の内部にビルトインしたことを特徴とするものである。
【０００９】
また、請求項２のコンピュータ本体ケースは、請求項１のコンピュータ本体ケースであって、直結コネクタを前面にしてハードディスクデバイスをコンピュータ本体に格納するようにしたことを特徴とするものである。
【００１０】
また、請求項３のコンピュータ本体ケースは、請求項１又は２記載のコンピュータ本体ケースであって、直結コネクタにコンピュータ本体の前面から各種ケーブルを直接接続するようにしたことを特徴とするものである。
【発明の効果】
【００１１】
請求項１記載のコンピュータ本体ケースによれば、ハードディスクデバイスをコンピュータ本体に格納するにあたり、コンピュータ本体からの各種ケーブルを直接接続する直結コネクタを有するハードディスクデバイスの両側面にレールを螺着し、レールを受ける突起を備えた嵌合部をコンピュータ本体の内部にビルトインしたので、ハードディスクの増設や交換の手間を軽減することができる。
【００１２】
請求項２記載のコンピュータ本体ケースによれば、直結コネクタを前面にしてハードディスクデバイスをコンピュータ本体に格納するようにしたので、ハードディスクの増設や交換の手間を軽減することができる。
【００１３】
請求項３記載のコンピュータ本体ケースによれば、直結コネクタにコンピュータ本体の前面から各種ケーブルを直接接続するようにしたので、接続部品の数の削減と部品コストが節約でき、またその接続部品が引き起こす障害を回避することができ、かつハードディスクの増設や交換の手間を軽減することができる。
【発明を実施するための最良の形態】
【００１４】
本発明の実施の形態を、添付図面に例示した本発明の実施例に基づいて以下に具体的に説明する。
【実施例】
【００１５】
先ず、本発明の実施例について、図面を参照しながら説明する。図１は本発明を適用した一実施形態のコンピュータ本体ケースの外観を示した斜視図である。図２は同、実施形態のコンピュータ本体ケースの一部を拡大した斜視図である。図３は同、ハードディスクデバイスにレールを螺着した状態を示した斜視図である。図４は同、ハードディスクデバイスをコンピュータ本体に格納した状態を示した斜視図である。図５は同、ハードディスクデバイスの直結コネクタにコンピュータ本体からの各種ケーブルを接続した状態を示した斜視図である。図６は同、ハードディスクデバイスからコンピュータ本体への接続を示した概略図である。
【００１６】
図１において、１０は縦型タワー形状のコンピュータ本体、１１は前面扉である。複数のコンピュータを設置する場合、コンピュータ本体１０を隣り合わせにして横に並べるのが一般的な方法である。コンピュータ本体１０の前面の扉１１を開けるとＣＰＵ本体、送受信ユニット、電源ユニット等の各種ボードの他にハードディスクデバイス２０をコンピュータ本体１０に格納する増設空間１２が設けられている。
【００１７】
ハードディスクデバイス２０は、図３に示すように、コンピュータ本体１０からの信号ケーブル、電源ケーブルが直接接続される信号直結コネクタ２１、電源直結コネクタ２２を備えている。また、ハードディスクデバイス２０の両側面には信号直結コネクタ２１、電源直結コネクタ２２が前面にくるようにレール２３、２４が螺着されている。
【００１８】
また、増設空間１２にはハードディスクデバイス２０を脱着自在に固定するための嵌合部１３がビルトインされている。
【００１９】
嵌合部１３は、図２に示すように、天板１３ａと左右の側板１３ｂ、１３ｃで囲まれた矩形をなし、コンピュータ本体１０の内部にビルトインされ（図１）、ハードディスクデバイス２０の両側面に螺着されたレール２３、２４を受ける突起１４、１５を左右の側板１３ｂ、１３ｃに備えている。また、左右の側板１３ｂ、１３ｃの幅は両側面にレール２３、２４が螺着されたハードディスクデバイス２０の幅に合うようにコンピュータ本体１０の幅より狭くなっている。
【００２０】
次に、図４、図５、図６を用いてハードディスクデバイスをコンピュータ本体に格納し、ハードディスクデバイスの直結コネクタにコンピュータ本体からの各種ケーブルを接続した状態について説明する。
【００２１】
図４において、１０は縦型タワー形状のコンピュータ本体、１１は前面扉である。複数のコンピュータを設置する場合、コンピュータ本体１０を隣り合わせにして横に並べるのが一般的な方法である。コンピュータ本体１０の前面の扉１１を開けるとＣＰＵ本体、送受信ユニット、電源ユニット等の各種ボードの他にハードディスクデバイス２０をコンピュータ本体１０に格納する増設空間１２が設けられている。
【００２２】
その増設空間１２にハードディスクデバイス２０を脱着自在に固定するための嵌合部１３がビルトインされている。嵌合部１３に固定されたハードディスクデバイス２０の前面には、コンピュータ本体１０からの信号ケーブル１６、電源ケーブル１７が直接接続される信号直結コネクタ２１、電源直結コネクタ２２を備えている。
【００２３】
増設空間１２に嵌合部１３をビルトインしたら、図５、図６に示すようにハードディスクデバイス２０の前面に備えた信号直結コネクタ２１、電源直結コネクタ２２にコンピュータ本体１０のメイン基板及び電源装置からの信号ケーブル１６、電源ケーブル１７を直接接続する。
【００２４】
次に、ハードディスクデバイス２０をメンテナンスするには、コンピュータ本体１０の前面の扉１１を開けハードディスクデバイス２０の前面の信号直結コネクタ２１、電源直結コネクタ２２から信号ケーブル１６、電源ケーブル１７を抜き、ハードディスクデバイス２０の両側面のレール２３、２４の前部２３ａ、２４ａをつまんで前方に引き出して嵌合部１３から脱着する。
【００２５】
このようにすれば、コンピュータ本体側面の扉を開けることなく、前面からのハードディスクの脱着が可能となるので、コンピュータ本体を横並びにしたり、ラックマウント形式で縦積みにして設置しても全く問題がない。
【００２６】
なお、嵌合部１３には信号直結コネクタ２１、電源直結コネクタ２２が前面になるようにハードディスクデバイス２０を固定しているので、嵌合部１３の背面側の構造がシンプルになり、その空いたスペースに冷却ファン（不図示）を取り付ける場所が自在に確保することができ、ハードディスクデバイス２０の冷却効率を上げることができる。
【００２７】
以上説明したように、本発明のコンピュータ本体ケースによれば、コンピュータ本体からの各種ケーブルを直接接続する直結コネクタを有するハードディスクデバイスの両側面にレールを螺着し、レールを受ける突起を備えた嵌合部をコンピュータ本体の内部にビルトインしたので、ハードディスクの増設や交換の手間を軽減することができる。
【００２８】
また、直結コネクタを前面にしてハードディスクデバイスをコンピュータ本体に格納するようにし、直結コネクタにコンピュータ本体の前面から各種ケーブルを直接接続するようにしたので、接続部品の数の削減と部品コストが節約でき、またその接続部品が引き起こす障害を回避することができ、かつハードディスクの増設や交換の手間を軽減することができる。
【図面の簡単な説明】
【００２９】
【図１】本発明を適用した一実施形態のコンピュータ本体ケースの外観を示した斜視図である。
【図２】同、実施形態のコンピュータ本体ケースの一部を拡大した斜視図である。
【図３】同、ハードディスクデバイスにレールを螺着した状態を示した斜視図である。
【図４】同、ハードディスクデバイスをコンピュータ本体に格納した状態を示した斜視図である。
【図５】同、ハードディスクデバイスの直結コネクタにコンピュータ本体からの各種ケーブルを接続した状態を示した斜視図である。
【図６】同、ハードディスクデバイスからコンピュータ本体への接続を示した概略図である。
【図７】従来のハードディスクからコンピュータ本体への接続を示した概略図である。
【符号の説明】
【００３０】
１０  コンピュータ本体
１１  前面の扉
１２  増設空間
１３  嵌合部
１４  突起
１５  突起
１６  信号ケーブル
１７  電源ケーブル
２０  ハードディスクデバイス
２１  信号直結コネクタ
２２  電源直結コネクタ
２３  レール
２４  レール
【図１】
2010152613.tif 000003
【図２】
2010152613.tif 000004
【図３】
2010152613.tif 000005
【図４】
2010152613.tif 000006
【図５】
2010152613.tif 000007
【図６】
2010152613.tif 000008
【図７】
2010152613.tif 000009